(57)【要約】【課題】  ＨＤＤに蓄積された放送番組をＤＶＤに書き込むシステムにおいて、ＤＶＤのメニュー画面を高い自由度で編集することを容易にする。【解決手段】  ＨＤＤ−ＤＶＤビデオレコーダに、放送番組の関連情報（放送日時、タイトル、出演者、サムネイル画像など）をＰＣにより読取り可能な形式で格納したテーブルを作成するプログラムを組み込む。ＨＤＤ−ＤＶＤビデオレコーダからＰＣに、放送番組そのものは送信せずに、関連情報のみを送信する。関連情報は情報量が少ないため短時間で送信される。ＰＣは、関連情報を用いてＤＶＤのメニュー画面を作成する。メニュー画面のデザインは、ＰＣのソフトウェアを用いることにより高い柔軟性で編集される。作成されたメニュー画面はＨＤＤ−ＤＶＤビデオレコーダに送信される。ＨＤＤ−ＤＶＤビデオレコーダは、受信したメニュー画面の情報をＤＶＤに書き込むと共に、ハードディスクに蓄積された録画番組をＤＶＤに書き出す。【選択図】図１
2005109585.tif 000002
【特許請求の範囲】
【請求項１】
録画装置と、
前記録画装置と通信可能に接続されたパーソナルコンピュータ
とを具備し、
前記録画装置は、
放送番組を受信する受信部と、
前記放送番組をハードディスクに保存する保存部と、
前記放送番組に対応する番組情報を収集し記憶する番組情報記憶部と、
前記番組情報を格納するテーブルを前記パーソナルコンピュータにより読み取り可能な形式で作成するテーブル作成部と、
前記テーブルを前記パーソナルコンピュータに送信する送信部と、
メニュー画面情報を受信する受信部と、
前記メニュー画面情報を光ディスクに書き込むディスク作成部
とを備え、
前記パーソナルコンピュータは、
前記テーブルを受信するテーブル受信部と、
前記テーブルを用いて、前記放送番組を指定し再生するためのボタンを有するメニュー画面の作成を行なうメニュー画面作成部と、
前記メニュー画面の情報を前記メニュー画面情報として前記受信部に送信するメニュー画面送信部
とを備え、
前記ディスク作成部は、前記メニュー画面が有する前記ボタンに対応する前記放送番組を前記ハードディスクから前記光ディスクに書き出す
録画システム。
【請求項２】
請求項１において、
前記番組情報は、前記放送番組に対応して配信される電子番組表に含まれる情報である
録画システム。
【請求項３】
請求項１または２において、
前記テーブル作成部は、前記放送番組のサムネイル画像を作成し、前記サムネイル画像を前記番組情報と対応づけて前記テーブルに格納する
録画システム。
【請求項４】
請求項１から３のうちのいずれか１項において、
前記メニュー画面作成部は、前記メニュー画面のプレビュー画面を表示し、
前記パーソナルコンピュータは更に、前記プレビュー画面において前記ボタンに対して所定の操作が加えられたとき、前記ボタンにより指定される前記放送番組を前記録画装置に再生させる
録画システム。
【請求項５】
請求項１から４のうちのいずれか１項において、
前記パーソナルコンピュータは更に、前記ボタンに対応する視聴条件を収集する視聴条件収集部を具備し、
前記光ディスクに記録された前記放送番組は、前記視聴条件が満たされた場合にのみ視聴することが可能である
録画システム。
【請求項６】
請求項１から５のうちのいずれか１項において、
前記光ディスクは、ＤＶＤ−Ｖｉｄｅｏ規格を満たす
録画システム。
【請求項７】
放送番組を受信する受信部と、
前記放送番組をハードディスクに保存する保存部と、
前記放送番組に対応する番組情報を収集し記憶する番組情報記憶部と、
前記放送番組を用いて作成されたサムネイル画像と前記番組情報とを格納するテーブルを作成するテーブル作成部と、
所定の信号に応答して前記テーブルを送信する送信部と、
前記放送番組を指定するボタンを有するメニュー画面の情報であるメニュー画面情報を受信する受信部と、
前記メニュー画面情報を光ディスクに書き込み、更に前記メニュー画面が有する前記ボタンに対応する前記放送番組を前記ハードディスクから前記光ディスクに書き出すディスク作成部
とを具備する
録画装置。
【請求項８】
所定の外部機器から、放送番組を特定する番組ＩＤと、前記放送番組に対応する番組情報と、前記放送番組のサムネイル画像とを対応づけたテーブルを受信するテーブル受信部と、
前記テーブルを用いて、前記放送番組を指定し再生するためのボタンを有するメニュー画面の作成を行なうメニュー画面作成部と、
作成された前記メニュー画面の情報を前記外部機器に送信するメニュー画面送信部
とを備える
メニュー画面作成装置。
【請求項９】
受信した放送番組をハードディスクに格納するステップと、
前記放送番組に対応する番組情報と、前記ハードディスクに格納された前記放送番組から作成されたサムネイル画像とを対応づけて格納するテーブルを作成するステップと、
前記テーブルを所定の外部機器に送信するステップと、
前記放送番組を指定し再生するためのボタンを有するメニュー画面の情報を前記外部機器から受信するステップと、
前記メニュー画面を光ディスクに書き込むステップと、
前記光ディスクに書き込まれた前記メニュー画面が有する前記ボタンに対応する前記放送番組を前記ハードディスクから前記光ディスクに書き出すステップ
とを具備する
光ディスク作成プログラム。
【発明の詳細な説明】
【技術分野】
【０００１】
本発明は、録画情報と共に光ディスクに書き込まれるメニュー画面を作成する技術に関する。
【背景技術】
【０００２】
ＨＤＤ（Ｈａｒｄ  Ｄｉｓｋ  Ｄｒｉｖｅ）と、読み出しと書き込みが可能なＤＶＤ（Ｄｉｇｉｔａｌ  Ｖｅｒｓａｔｉｌｅ  Ｄｉｓｃ）ドライブとを備え、チューナにより受信した放送番組のデータを一旦ＨＤＤに保存しておき、ユーザが所望のときにＨＤＤに蓄積された放送番組のデータをＤＶＤに保存するＨＤＤ−ＤＶＤビデオレコーダが知られている。
【０００３】
パーソナルコンピュータと接続して使用され、パーソナルコンピュータにおいて指定した画像データを取り込んでＤＶＤ−Ｒ作成時に背景画像として用いることを可能にしたＨＤＤ−ＤＶＤビデオレコーダが知られている（非特許文献１参照）。更に、ＨＤＤに録画された放送番組をＤＶＤ−ＲＷ、ＤＶＤ＋ＲあるいはＤＶＤ＋ＲＷに例示される規格を満たすＤＶＤに記録するＨＤＤ−ＤＶＤビデオレコーダが知られている。
【０００４】
【非特許文献１】ｈｔｔｐ：／ｗｗｗ．ｒｄ−ｓｔｙｌｅ．ｃｏｍ／ｍｙｄｖｄ／ｄｖｄ＿ｍａｎ．ｈｔｍ
【発明の開示】
【発明が解決しようとする課題】
【０００５】
本発明の目的は、ＨＤＤに蓄積された映像をＤＶＤに書き込むシステムにおいて、ＤＶＤに記録されるメニュー画面を高い自由度で編集することを容易にするＨＤＤ−ＤＶＤビデオレコーダ及びＨＤＤ−ＤＶＤビデオレコーダと連携するパーソナルコンピュータを提供することである。
【課題を解決するための手段】
【０００６】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００７】
本発明による録画システム（１）は、録画装置（２）と、録画装置（２）と通信可能に接続されたパーソナルコンピュータ（４）とを具備している。
録画装置（２）は、放送番組（９）を受信する受信部（２２）と、放送番組（９）をハードディスク（１６）に保存する保存部と、放送番組（９）に対応する番組情報（１０）を収集し記憶する番組情報記憶部（４２）と、番組情報（１０）を格納するテーブル（５０）をパーソナルコンピュータ（４）により読み取り可能な形式で作成するテーブル作成部（５８）と、テーブル（５０）をパーソナルコンピュータ（４）に送信する送信部（２４）と、メニュー画面情報（６２）を受信する受信部（２２）と、メニュー画面情報（６２）を光ディスクに書き込むディスク作成部（２６）とを備えている。
パーソナルコンピュータ（４）は、テーブル（５０）を受信するテーブル受信部（７０）と、テーブル（５０）を用いて、放送番組（９）を指定し再生するためのボタンを有するメニュー画面の作成を行なうメニュー画面作成部（７２）と、メニュー画面の情報をメニュー画面情報（６２）として受信部（２２）に送信するメニュー画面送信部（２４）とを備えている。
ディスク作成部（２６）は、メニュー画面が有するボタンに対応する放送番組（９）をハードディスク（１６）から光ディスクに書き出す。
【０００８】
光ディスクは、ＤＶＤ（Ｄｉｇｉｔａｌ  Ｖｅｒｓａｔｉｌｅ  Ｄｉｓｋ）である。こうした録画システムによれば、パーソナルコンピュータの豊富な編集機能と入力装置とを用いてＤＶＤのメニュー画面を作成することが可能である。録画装置からパーソナルコンピュータへ転送されるデータは番組に関連する情報のみであり、番組自体の動画データは転送されない。そのため、メニュー画面を作成するためのデータをパーソナルコンピュータに転送するために必要な時間が短時間で済む。
【０００９】
本発明による録画システム（１）において、番組情報（４６）は、放送番組（９）に対応して配信される電子番組表（１０）に含まれる情報である。
【００１０】
本発明による録画システム（１）において、テーブル作成部（５８）は、放送番組（９）のサムネイル画像（５４）を作成し、サムネイル画像（５４）を番組情報（４６）と対応づけてテーブル（５０）に格納する。
【００１１】
本発明による録画システム（１）において、メニュー画面作成部（７２）は、メニュー画面のプレビュー画面（８４）を表示する。パーソナルコンピュータ（４）は更に、プレビュー画面（８４）においてボタンに対して所定の操作が加えられたとき、ボタンにより指定される放送番組（９）を録画装置（２）に再生させる。
【００１２】
メニュー画面のプレビュー画面はパーソナルコンピュータのモニタ（５）に表示され、放送番組は録画装置に接続された他のモニタ（３）に表示されることが好ましい。こうした録画システムによれば、メニュー画面と、そのメニュー画面からアクセスできる放送番組とを同時に確認することが可能である。
【００１３】
本発明による録画システム（１）において、パーソナルコンピュータ（４）は更に、ボタンに対応する視聴条件（６８）を収集する視聴条件収集部（７６）を具備している。ボタンに対応する放送番組（９）は、視聴条件（６８）が満たされた場合にのみ許可される。
【００１４】
こうした録画システムによれば、光ディスクに記録されている複数の番組の各々に対して独立に視聴条件を設定することが可能である。
【００１５】
本発明による録画システム（１）において、光ディスクは、ＤＶＤ−Ｖｉｄｅｏ規格を満たす。
【００１６】
本発明による録画装置（２）は、放送番組（９）を受信する受信部（２２）と、放送番組（９）をハードディスク（１６）に保存する保存部と、放送番組（９）に対応する番組情報（４６）を収集し記憶する番組情報記憶部（４２）と、放送番組（９）を用いて作成されたサムネイル画像（５４）と番組情報（４６）とを格納するテーブル（５０）を作成するテーブル作成部（５８）と、所定の信号に応答してテーブル（５０）を送信する送信部（２４）と、放送番組（９）を指定するボタンを有するメニュー画面の情報であるメニュー画面情報（６２）を受信する受信部（２２）と、メニュー画面情報（６２）を光ディスクに書き込み、更にメニュー画面が有するボタンに対応する放送番組（９）をハードディスク（１６）から光ディスクに書き出すディスク作成部（２６）とを具備している。
【００１７】
本発明によるメニュー画面作成装置（４）は、所定の外部機器（２）から、放送番組（９）を特定する番組ＩＤ（５２）と、放送番組（９）に対応する番組情報（４６）と、放送番組（９）のサムネイル画像（５４）とを対応づけたテーブル（５０）を受信するテーブル受信部（７０）と、テーブル（５０）を用いて、放送番組（９）を指定し再生するためのボタンを有するメニュー画面の作成を行なうメニュー画面作成部（７２）と、メニュー画面の情報をメニュー画面情報（６２）として外部機器（２）に送信するメニュー画面送信部（２４）とを備える。
【００１８】
本発明による光ディスク作成プログラムは、受信した放送番組（９）をハードディスク（１６）に格納するステップ（Ｓ６）と、放送番組（９）に対応する番組情報とハードディスク（１６）に格納された放送番組（９）から作成されたサムネイル画像とを対応づけて格納するテーブル（５０）を作成するステップ（Ｓ７）と、テーブル（５０）を所定の外部機器に送信するステップ（Ｓ１０）と、放送番組（９）を指定し再生するためのボタンを有するメニュー画面の情報を外部機器から受信するステップ（Ｓ２５）と、メニュー画面を光ディスクに書き込むステップ（Ｓ２６）と、光ディスクに書き込まれたメニュー画面が有するボタンに対応する放送番組（９）をハードディスク（１６）から光ディスクに書き出すステップ（Ｓ２８）とを具備している。
【発明の効果】
【００１９】
本発明によれば、ＨＤＤに蓄積された映像をＤＶＤに書き込むシステムにおいて、ＤＶＤに記録されるメニュー画面を高い自由度で編集することを容易にするＨＤＤ−ＤＶＤビデオレコーダ及びＨＤＤ−ＤＶＤビデオレコーダと連携するパーソナルコンピュータが提供される。
【発明を実施するための最良の形態】
【００２０】
以下、図面を参照しながら本発明による録画システムについて詳細に説明する。
【００２１】
図１を参照すると、録画システム１の構成が示されている。録画システム１は、ＨＤＤ−ＤＶＤビデオレコーダ２と、パーソナルコンピュータ４とを備えている。ＨＤＤ−ＤＶＤビデオレコーダ２は、モニタ３に接続されている。パーソナルコンピュータ４は、モニタ５に接続されている。
【００２２】
ＨＤＤ−ＤＶＤビデオレコーダ２とパーソナルコンピュータ４とは通信ケーブル６により接続されている。ＨＤＤ−ＤＶＤビデオレコーダ２とパーソナルコンピュータ４とはＬＡＮに例示される通信ネットワークを介して接続されていることがある。
【００２３】
ＨＤＤ−ＤＶＤビデオレコーダ２は、放送局８から配信される信号を受信することができる。放送局８は、地上波、衛星通信、専用ケーブルあるいはインターネットを用いて放送番組９を配信する。放送局８は更に、放送番組９のスケジュールと関連情報とを含む電子番組表１０を配信する。電子番組表１０は、放送局８とは異なる基地局から放送電波あるいはインターネットにより配信されることがある。
【００２４】
ＨＤＤ−ＤＶＤビデオレコーダ２は、演算部１２と、半導体メモリ１４と、ハードディスク１６と、入力部１８と、表示部２０と、保存部２１と、チューナー２２と、通信部２４と、ＤＶＤドライブ２６とを備えている。ＨＤＤ−ＤＶＤビデオレコーダ２は、チューナー２２により受信した放送番組をＨＤＤに蓄積し、蓄積された放送番組をＤＶＤドライブ２６によりＤＶＤ−Ｖｉｄｅｏ、ＤＶＤ−Ｒ、ＤＶＤ−ＲＷ、ＤＶＤ＋ＲあるいはＤＶＤ＋ＲＷに例示される規格を満たすＤＶＤに記録する機能を有する。
【００２５】
パーソナルコンピュータ４は、演算部３２と、記憶部３４と、入力部３６と、表示部３８と、通信部４０とを備えている。
【００２６】
図２を参照すると、ハードディスク１６は、電子番組表４２と、録画番組４８と、転送テーブル５０と、メニュー画面５６と、転送テーブル作成プログラム５８と、ＤＶＤ作成プログラム６０とを格納している。電子番組表４２は、放送番組９を特定する放送番組ＩＤ４４と番組情報４６とを対応づけて格納している。番組情報４６は、番組の放送日時、チャンネル、番組名、ジャンル、出演者、番組の内容紹介などの情報を含んでいる。転送テーブル５０は、録画番組ＩＤ５２、チャプタ構成情報５３、番組情報５２、及びサムネイル画像５４を対応づけて格納する。サムネイル画像５４は、１つの録画番組４８について少なくとも１枚の静止画像である。録画番組４８がチャプタ構成情報５３において複数のチャプタを有している場合、サムネイル画像５４は各々のチャプタから少なくとも１枚抽出された静止画像である。
【００２７】
図３を参照すると、記憶部３４は、メニュー画面情報６２を格納している。メニュー画面情報６２には、表示画面情報６４と、ペアレンタルレベル情報６８とが対応づけられて含まれている。記憶部３４は更に、番組情報読込プログラム７０と、メニュー画面作成プログラム７２と、プレビュープログラム７４と、ペアレンタルレベル設定プログラム７６とを対応づけて格納している。
【００２８】
図４を参照すると、表示画面情報６４が含むメニュー画面編集画面が示されている。メニュー画面編集画面８２は、編集領域８４を有している。編集領域８４には、ＤＶＤのメニュー画面として使用される画像が表示される。編集領域８４の背景には壁紙８５が表示される。編集領域８４にはタイトル表示部９０が表示される。編集領域８４には更に、複数のサムネイル画像表示部８６とコメント表示部８８とが対応づけられて表示される。複数のサムネイル画像表示部８６のうちユーザによって選択された選択サムネイル画像表示部８７は、網かけ処理等を施すことにより他のサムネイル画像表示部８６と区別されて表示される。メニュー画面編集画面８２は、編集領域８４の外に背景ボタン９２と、フレームボタン９４と、ペアレンタルレベルボタン９６とを有している。
【００２９】
次に、図５を参照しながら、本発明による録画システムの動作について説明する。但し、以下の説明において、ＨＤＤ−ＤＶＤビデオレコーダ２あるいはパーソナルコンピュータ４が備える演算部が記憶装置からプログラムを読み込み、そのプログラムに記述された手順に従って実行する動作は、当該プログラムが行う動作として記述される。
【００３０】
ＨＤＤ−ＤＶＤビデオレコーダ２のチューナー２２は、放送局８あるいは他の会社から、電子番組表４２を受信してハードディスク１６に格納する（ステップＳ２）。
【００３１】
ユーザがＨＤＤ−ＤＶＤビデオレコーダ２の入力部１８に所定の操作を行なうと、放送番組の録画予約が設定される（ステップＳ４）。設定された時間が到来すると、チューナー２２は録画予約された番組を受信する。保存部２１は、受信した番組をハードディスク１６に格納する（ステップＳ６）。
【００３２】
転送テーブル作成プログラム５８は、ハードディスク１６に格納された番組を特定する録画番組ＩＤ５２と、電子番組表４２から抽出されたその番組の番組情報４６と、ハードディスク１６に格納された録画番組４８から抽出された静止画像であるサムネイル画像５４とを対応づけた転送テーブル５０を作成する（ステップＳ７）。
【００３３】
ユーザがＤＶＤのメニュー画面を作成するとき、パーソナルコンピュータ４の入力部３６に所定の操作を行うと（ステップＳ８）、番組情報読込プログラム７０は、転送テーブル５０を送信することを要求する要求信号を通信部４０を用いて送信する（ステップＳ９）。ＨＤＤ−ＤＶＤビデオレコーダ２は、その要求信号を受信すると、転送テーブル５０を通信部２４によりパーソナルコンピュータ４に送信する（ステップＳ１０）。
【００３４】
ＨＤＤ−ＤＶＤビデオレコーダ２は、録画番組そのもの（動画と音声）はパーソナルコンピュータに転送せず、転送テーブルのみを転送する。転送テーブルの容量は録画番組そのものに比べて極めて小さく、短時間でパーソナルコンピュータに転送される。パーソナルコンピュータは転送テーブルのみを用いてＤＶＤのメニュー画面を作成する。
【００３５】
番組情報読込プログラム７０は、転送テーブル５０の内容と、録画番組ＩＤに対応するチェックボックスとをモニタ５に表示する。ユーザは、表示された転送テーブル５０の内容を参照し、ＤＶＤに記録したい録画番組に対応するチェックボックスにチェックを付ける（ステップＳ１２）。
【００３６】
通信部４０が転送テーブル５０を受信すると、メニュー画面作成プログラム７２は、モニタ５にメニュー画面編集画面８２を表示する。サムネイル画像表示部８６にはサムネイル画像５４が表示される（ステップＳ１４）。
【００３７】
メニュー画面作成プログラム７２は、ユーザが入力部３６に加える操作に応答して、メニュー画面の編集を行う（ステップＳ１６）。例えば、ユーザが背景ボタン９２を押下すると、背景画像の候補が表示される。ユーザは所望の背景画像を選択し、壁紙８５として設定し表示する。ユーザがフレームボタン９４を押下すると、フレームの候補が表示され、ユーザは所望のデザインのフレームを選択する。選択されたフレームは、サムネイル画像表示部８６の枠として設定され表示される。各々のサムネイル画像表示部８６に表示されるサムネイル画像５４は、ＨＤＤ−ＤＶＤビデオレコーダ２から受信した画像を用いることも可能であり、ユーザが設定した任意の画像を用いることも可能である。タイトル表示部９０には番組情報４６に含まれるタイトルが設定され、ユーザはその設定を変更することができる。これらの操作により設定された情報は、表示画面情報６４として保存される。
【００３８】
ユーザは、パーソナルコンピュータが有する多様な編集機能と入力装置とを用いて、メニュー画面に対して前段落に例示したような多様な編集を行うことができる。しかも、ＨＤＤ−ＤＶＤビデオレコーダから録画番組そのものを取り込む必要がないため、こうした多様な編集機能を使ったＤＶＤのメニュー画面の作成が手軽にできる。
【００３９】
ユーザが入力部３６を操作してサムネイル画像表示部８６のうちのいずれか１つを選択すると、選択されたサムネイル画像表示部８６は選択サムネイル画像表示部８７として、網かけ等により他とは区別されて表示される。ユーザがプレビュー画像を見るための所定の操作を行うと（ステップＳ１８）、プレビュープログラム７４は、選択サムネイル画像８７に対応するプレビュー要求信号をＨＤＤ−ＤＶＤビデオレコーダ２に送信する（ステップＳ１９）。
【００４０】
プレビュー要求信号を受信したＨＤＤ−ＤＶＤビデオレコーダ２は、選択サムネイル画像表示部８７に対応する録画番組４８をモニタ３に再生する（ステップＳ２０）。
【００４１】
ユーザが入力部３６を操作してサムネイル画像表示部８６のうちの少なくとも１つを選択してペアレンタルレベルボタン９６を押下すると、メニュー画面作成プログラム７２は、ペアレンタルレベルの設定値を入力することを要求する入力欄を表示する。ユーザがその入力欄から数値を入力すると、選択されたサムネイル画像表示部８６に対応してペアレンタルレベル情報６８が設定される（ステップＳ２２）。録画番組ごと、あるいはチャプタ番組ごとにペアレンタルレベルが設定されることにより、よりきめ細かな視聴制限をかけることが可能になる。
【００４２】
ユーザがメニュー画面の作成が終了し、ＨＤＤ−ＤＶＤビデオレコーダ２に送信するための所定の操作を行うと（ステップＳ２４）、メニュー画面作成プログラム７２は、作成されたメニュー画面情報６２をＨＤＤ−ＤＶＤビデオレコーダ２に送信する（ステップＳ２４）。
【００４３】
ＤＶＤ作成プログラム６０はＤＶＤドライブ２６に指令を出し、受信したメニュー画面情報６２をＤＶＤに書き込む（ステップＳ２６）。
【００４４】
ＤＶＤ作成プログラム６０は、チャプタ構成情報６６に示される録画番組４８をハードディスク１６からＤＶＤに書き出す（ステップＳ２８）。
【００４５】
こうして作成されたＤＶＤは、ユーザによって自在に編集された楽しいメニュー画面により、収録番組の選択が行われる。
【図面の簡単な説明】
【００４６】
【図１】図１は、録画システムの構成を示す図である。
【図２】図２は、ＨＤＤ−ＤＶＤビデオレコーダのハードディスクに格納されている情報の構成を示す図である。
【図３】図３は、パーソナルコンピュータの記憶部に格納されている情報の構成を示す図である。
【図４】図４は、メニュー画面編集画面を示す図である。
【図５】図５は、録画システムの動作を示すフローチャートである。
【符号の説明】
【００４７】
１…録画システム
２…ＨＤＤ−ＤＶＤビデオレコーダ
３…モニタ
４…パーソナルコンピュータ
６…通信ケーブル
８…放送局
９…放送番組
１０…電子番組表
８２…メニュー画面編集画面
８４…編集領域
８５…壁紙
８６…サムネイル画像表示部
８７…選択サムネイル画像表示部
８８…コメント
９０…タイトル表示部
９２…背景ボタン
９４…フレームボタン
９６…ペアレンタルレベルボタン
【図１】
2005109585.tif 000003
【図２】
2005109585.tif 000004
【図３】
2005109585.tif 000005
【図４】
2005109585.tif 000006
【図５】
2005109585.tif 000007